(57)【要約】【課題】複写機状況の自動的モニターを実現する複写機システムを提供すること。【解決手段】本発明の複写機システムは、離れた場所からパソコンによりモニターすることが可能で、複写機の動作を制御する制御コンピュータ及び制御コンピュータからのデータを受信する制御パネルを有する複写機と、パソコンと複数の装置とを接続可能とし、パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続可能であるユニバーサルインターフェースを提供する複写機に対応して設けられたチップと、複写機に対応して設けられたネットワーク内において複写機を遠隔的に同定するための情報パターンを含むデータを保持し電力排除後も情報パターンを含むデータを保持する記憶装置を有する。【選択図】図１
2006340393.tif 000002
【特許請求の範囲】
【請求項１】
離れた場所からパソコンによりモニターすることが可能な複写機であって、
前記複写機の動作を制御する制御コンピュータ及び前記制御コンピュータからのデータを受信するように構成されている制御パネルを有する複写機と、
前記パソコンと複数の装置とを接続することを可能とし、前記パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続することが可能であるユニバーサルインターフェースを提供する前記複写機に対応して設けられたチップと、
前記複写機に対応して設けられた、前記ネットワーク内において前記複写機を遠隔的に同定するための情報パターンを含むデータを保持し電力が排除されても前記情報パターンを含むデータを保持する記憶装置とから構成され、
前記チップが前記ネットワーク内において前記複写機を遠隔的に同定するために前記情報パターンを含むデータを前記パソコンに送信することにより、前記パソコン上で動作するデータベースマネージャーによって前記複写機を認識可能としたことを特徴とする複写機システム。
【請求項２】
離れた場所からパソコンによりモニターすることが可能な複写機であって、
前記複写機の動作を制御する制御コンピュータ及び前記制御コンピュータからのデータを受信するように構成されている制御パネルを有する複写機と、
前記パソコンと複数の装置とを接続することを可能とし、前記パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続することが可能であるユニバーサルインターフェースを提供する前記複写機に対応して設けられたチップと、
前記複写機に対応して設けられた、前記ネットワーク内において前記複写機を遠隔的に同定するための情報パターンを含むデータを保持し電力が排除されても前記情報パターンを含むデータを保持する記憶装置とから構成され、
前記チップが前記ネットワーク内において前記複写機を遠隔的に同定するために前記情報パターンを含むデータを前記パソコンに送信することにより、前記パソコン上で動作するデータベースマネージャーによって前記複写機を認識可能とし、
前記制御コンピュータは、前記パソコンから複写機制御コマンドを受信し、前記パソコンから受信した状況情報の要求に応答して、前記チップを経由し前記パソコンへ複写機状況情報を送信することを特徴とする複写機システム。
【発明の詳細な説明】
【技術分野】
【０００１】
本発明は複数台の複写機の状況を中核位置から遠隔的にモニターするためのシステムに関する。
【背景技術】
【０００２】
複写機械の状況をリポートするための数種類の方法が当該技術分野において知られている。最も簡単なものは「スコアボード」として遠隔的に配置された一連のインジケータが限定された態様において各複写機の状況を示すというものである。しかしながら、このアプローチは単に総体的な故障を示し得るに過ぎず、また広い範囲に、あるいはビルディングの多数階に亘って分配された多数台の複写機が存在する場合の実用的なモニターシステムではない。
【０００３】
多数台の複写機を遠隔的にモニターするための技法はゼロックス遠隔会話形通信［XEROX  REMOTE  INTERACTIVE  COMMUNICATIONS］（ＲＩＣ）システムであって、これは数種類の異なったゼロックス複写機（たとえば、１０９０）を結合し、そして電話線により状況情報を中央サービス事務所へ中継するというものである。ＲＩＣは当初請求書の情報を収集するために設計された。それに加えて、故障の傾向、すなわちフューザー部におけるジャムの突然の増加について局部的に分析する、進行中の事故情報をもまた収集する。事故の傾向が認識されると、ＲＩＣはその事故分析をサービス事務所に報告することになる。ＲＩＣアダプターは専用のマイクロプロセッサ制御装置であって、複写機の特別なデータ口に差し込むものと、電話線に直接接続するための自動ダイアルモデムから構成されている。
【０００４】
このＲＩＣシステムは、それがゼロックス複写機の限られたサブセットとのみ結合するように設計されているという欠点を有している。同一および異なった製造業者の異なった複写機モデルに適合させるために、特定の複写機構造に対応するトランスレータ（translator）であって、１９８９年１２月１３日に出願された出願番号第０７／４５０，６０５号中に記載されたものが、複写機と中央データ収集地点との間に一定方式のインターフェースを提供するために使用される。このトランスレータは単一の装置であって、到来複写機情報を中央データ収集地点によって読み取られるべき一定方式の信号に変換すると同時に離れて配置されたスキャナー／マルチプレクサーと通信して、情報を受け、かつ中央データ収集地点に対してそれを伝達する能力を有している。
【発明の開示】
【発明が解決しようとする課題】
【０００５】
このタイプのトランスレータ、すなわち単一のマイクロプロセッサに基づくものはオーバーロードとなり、そしてシステム性能を劣化させる可能性がある。本発明の目的はこれを、二つの別個のマイクロプロセッサシステム、−一方は到来複写機情報を変換し、そして一方は中央データ収集地点と通信するためのもの−を利用することによって克服することにある。しかしながら、本発明の主要目的は中央位置からハードウェアおよびソフトウェアによってエラー状態を含むリアルタイムまたは準リアルタイムにおける複写機状況の連続的、自動的モニターをもたらすような態様で複数台の複写機を連結する方法を提供することである。  
【０００６】
本発明の別の目的は単一のシステムによって各種タイプ、すなわちスタティックおよびダイナミックタイプのものをモニターすることである。
【課題を解決するための手段】
【０００７】
本発明の一実施形態によると、離れた場所からパソコンによりモニターすることが可能な複写機であって、前記複写機の動作を制御する制御コンピュータ及び前記制御コンピュータからのデータを受信するように構成されている制御パネルを有する複写機と、前記パソコンと複数の装置とを接続することを可能とし、前記パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続することが可能であるユニバーサルインターフェースを提供する前記複写機に対応して設けられたチップと、前記複写機に対応して設けられた、前記ネットワーク内において前記複写機を遠隔的に同定するための情報パターンを含むデータを保持し電力が排除されても前記情報パターンを含むデータを保持する記憶装置とから構成され、前記チップが前記ネットワーク内において前記複写機を遠隔的に同定するために前記情報パターンを含むデータを前記パソコンに送信することにより、前記パソコン上で動作するデータベースマネージャーによって前記複写機を認識可能としたことを特徴とする複写機システムが提供される。    
【０００８】
本発明の一実施形態によると、離れた場所からパソコンによりモニターすることが可能な複写機であって、前記複写機の動作を制御する制御コンピュータ及び前記制御コンピュータからのデータを受信するように構成されている制御パネルを有する複写機と、前記パソコンと複数の装置とを接続することを可能とし、前記パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続することが可能であるユニバーサルインターフェースを提供する前記複写機に対応して設けられたチップと、前記複写機に対応して設けられた、前記ネットワーク内において前記複写機を遠隔的に同定するための情報パターンを含むデータを保持し電力が排除されても前記情報パターンを含むデータを保持する記憶装置とから構成され、前記チップが前記ネットワーク内において前記複写機を遠隔的に同定するために前記情報パターンを含むデータを前記パソコンに送信することにより、前記パソコン上で動作するデータベースマネージャーによって前記複写機を認識可能とし、前記制御コンピュータは、前記パソコンから複写機制御コマンドを受信し、前記パソコンから受信した状況情報の要求に応答して、前記チップを経由し前記パソコンへ複写機状況情報を送信することを特徴とする複写機システムが提供される。
【発明を実施するための最良の形態】
【０００９】
添付図面、そして特に第１図を参照すると、本複写機のモニタリングシステムは中核位置またはデータ収集地点４から様々な場所に配置された複数台の複写機２より複写機のプロフィル、サービスレコードおよび診断法を自動的にモニター、収集および記憶することが出来る。同一および異なった製造業者双方の様々な複写機モデル間の相違に適応させるために、トランスレータ６を使用して複写機と複写機状況情報のための中央データ収集地点４との間に一定方式のインターフェースを提供する。トランスレータ６は専門化されたハードウェアおよびソフトウェアであって、特定の複写機に対してカスタマイズされ、そしてネットワーク内でアドレス可能ノードとして機能するものを備えたマイクロコンピュータである。トランスレータ６は各複写機部位に配置され、そしてデータタップ８（第２、３および４図参照）であって、制御パネルデータケーブル１８に沿って複写機制御コンピュータ１０から複写機状況ディスプレイ１２へ伝送される状況情報をモニターするものを用いることによって複写機２と通信する。  
【００１０】
現在の複写機状況情報はトランスレータ６内に記憶されると共にこれよって、中核位置４におけるスキャナ／マルチプレクサ１４からのポール（poll）に応答し、ライン５２として示される通信手段に沿ってデータ収集コンピュータ１６へ伝送される。中核位置４においてデータは処理され、そしてデータ収集コンピュータ１６内にデータベースとして記憶される。  
【００１１】
従って、本システムは離れた複写機を、通常はデータタップ８およびトランスレータ６であって、カストマ構内の複写機２と関連し、かつ通信手段５２によって中核位置４におけるスキャナ／マルチプレクサ構成要素１４および状況複写機データ収集構成要素１６に接続されたものを使用することによって、中核データ収集地点４に連結する。  
【００１２】
一般に、複写機における機械状況モニタリングは出力機能であるが、入力機能、たとえば制御パネルからのオペレータのキーストロークをモニターすることも出来る。様々な入力／出力インターフェースまたは複写機制御パネル１２が複写機のモデルおよび製造業者に左右されて存在する。出力インターフェースは通常  「スタティック」および「ダイナミック」に分類することが可能である。出力機能をモニターすることに加えて、遠隔入力オペレーションケーパビリティ、たとえば制御パネルのキーストロークを離れて遂行し得ることを提供するのもまた、望ましい。  
【００１３】
スタティックタイプのものはインジケータの照明、たとえば制御パネル１２上の発光ダイオード（「ＬＥＤ」）を利用して、透明なものをバック照明するか、あるいはラベルに近接するインジケータとしてのいずれかによってセットアップおよび作動状況を示す。この方法を使用すれば、複写機制御コンピュータ１０は、必要により状況インジケータを作動または停止させることによってそれらを直接制御するものである。或る場合には、複写機の故障状態はエラーコードによって表示され、これはたとえば２桁のコードナンバーとしてコピーカウンターにより表示させることも出来る。このクラスの複写機の一例はゼロックスモデル１０２５である。  
【００１４】
ダイナミック出力タイプのものは前のように、照明インジケータのみならずまた、或る形式の英数字ディスプレイ装置であって、セットアップおよび状況情報を普通の言語英数字テキストにおいて表示させることが可能であるものをも利用している。このディスプレイ装置は単一または複数回線ディスプレイであればよく、真空蛍光、液晶または発光ダイオード、あるいはＣＲＴビデオディスプレイの工業技術を利用するものである。これらのダイナミック複写機において、複写機制御コンピュータ１０は情報を制御パネルデータケーブル１８を経由してディスプレイ装置制御器に伝え、これを順次生データ制御パネル１２上で定様式表示イメージに変換する。この情報の流れは直列または並列法のいずれかであればよい。このクラスの複写機の一例はゼロックスモデル１０４０である。  
【００１５】
スタティックディスプレイ法の場合においては、単にこの状況装置の一部をモニターすることが望ましい。それはこの状況装置の全てが故障状態を表示するものではないからである。そこにはまた、異なった状況装置の特性および回路作動電圧であって、異なったあるいは同一製造業者の各種モデルにおいて存在する多様性の故でスタティックディスプレイと結合するのに困難が存在する。  
【００１６】
更に、状況インジケータは一般に時多重化（time multiplexed）されて電力消費および複写機制御コンピュータ１０と制御パネル１２との間の総体的な接続数を減少させる。このことが状況装置の両端の電圧降下の単純なモニタリングを排除し、そして状況装置のスイッチを入れる際のデータのラッチング（latching）を必要とする。  
【００１７】
多重化ディスプレイシステムの一例は図６Ａ及び図６Ｂ中に見ることが出来る。２４個のＬＥＤ、すなわちＬＥＤ１−ＬＥＤ２４が３行ｘ８列のマトリックスに構成されている。マルチプレクサタイミング線図中に示されるように、各行の８個のＬＥＤは駆動パルスを装置の２個のベースターミナルに適用することによって共通のスイッチングトランジスタＱ９−Ｑ１１を介してそれぞれ選択される。共通行内の個々のＬＥＤは駆動信号を列ドライバートランジスタＱ１−Ｑ８のベースに加えることによってそれぞれ並列に選択される。ＬＥＤ１０を作動させるために、駆動信号を時点Ｔ２においてＱ１０が駆動される［Ｃ１ｘＲＯＷ１］ときにＱ２に対して加える必要がある。各行についてデータ列パターンを捕捉するためには、Ｃ０−Ｃ７およびＲＯＷ０−ＲＯＷ２信号がデータタップ８からトランスレータ６へ処理のために通過することが必要となろう。  
【００１８】
制御パネル１２上に表示されている複写機状況情報を抽出するために、データタップ８が複写機内に据え付けられることになる。データタップ８は、第４図中に示すように複写機制御コンピュータボード１０上か、あるいは第２図および第３図中に示すように、複写機制御コンピュータ１０および制御パネルデータケーブル１８上の制御パネル１２間のいずれかにインラインで配置されることになる。データタップ８の主目的は各種の複写機に関してトランスレータ６に対する物理的インターフェース手段を提供することである。トランスレータ６の主要目的は様々な複写機２の様々な信号を一定様式の信号に変換し、これらの信号はデータ収集コンピュータ１６によって読み取られるべきものであると共に複写機制御コンピュータ１０からスキャンされる複写機状況情報をデマルチプレクサし、そしてそのようにすることがポールされると、このデータを中核データ収集地点４に復帰させるものである。これらの機能はモニタリングネットワークの相対的配置に依存して単一のマイクロコンピュータをベースとするシステムか、２台の別個のマイクロコンピュータをベースとするシステムのいずれかによって遂行される。  
【００１９】
モニタリングネットワークが寸法において比較的小型であるか、あるいはリアルタイムの態様においてポールされることに高い要求が無い場合には、単一のＣＰＵベーストランスレータ６に関連して「受動」データタップ８が第２図および第３図中に示されるように、使用されることになる。  
【００２０】
データタップ８は複写機２の内側に配置され、そして如何なるＦＣＣ規制をも妨げて
はならない。その結果、その最も簡単な形状におけるデータタップ８は受動装置であって、これは複写機制御コンピュータ１０から移される状況情報を単にトランスレータ６に至る制御パネル１２へ、すなわちＹ−タップヘッダ、Ｙ−ケーブルまたはバッファ／ドライバー装置によって伝えるに過ぎない。ゼロックス１０２５複写機に関して使用するための簡単なＹ−タップであって、第５Ａ図および第５Ｂ図中に示され、かつ３４−ポジションピンヘッダ１９を介して複写機制御コンピュータ１０に接続されたその制御パネルデータケーブル１８を備えるものは延長された３４−ポジションピンヘッダ１９（３−ＭＥＳＰシリーズ）を含んで構成される。Ｙ−タップヘッダ１７であって、物理的オス電気接続部を備え、この接続部は第５Ｄ図および第５Ｅ図中に示され、貫通する直線に対し９０度であるものが複写機制御コンピュータボード１０に対する元の制御パネルデータケーブル１８の接続部を置き換え、そしてトランスレータデータケーブル２０を制御パネルデータケーブル１８と並列に接続させる、第５Ｃ図参照。  
【００２１】
スタティック多重化データインターフェース用の単一ＣＰＵベース・トランスレータシステムは第７図および第８図中に示されている。それは標準の常備構成要素ならびに基本的な設計技術を利用してマイクロプロセッサベースとされている。Ａ６８０９マイクロプロセッサチップはサポート装置（すなわち、ＲＡＭ、ＲＯＭ等）であって、ＣＰＵ２２に対してアドレスマップとされるものを選択するために使用されるプログラム可能アドレスデコーダ２４（１６Ｖ８）を加えた中央処理装置２２（ＣＰＵ）である。  
【００２２】
ＣＰＵ２２に関し記憶されたプログラムは読取り専用メモリ２６（ＲＯＭ、２７Ｃ６４または２７Ｃ２５６）中に見出だすことが出来る。このＣＰＵスタック情報および一時的数値変数はランダム・アクセス・メモリ（ＲＡＭ、６２６４）内に発見される。  
【００２３】
単一ＣＰＵをベースとするトランスレータ６もまた、不揮発性ランダム・アクセス・メモリ２７（ＮＶＲＡＭ、ＭＣＭ  ２８１４）、構成選択スイッチ３０、ディジタル口３２（８２５５）、アナログ・ディジタルインターフェース３４  （ＬＭ３３９）、タイマー３６（５５５）およびユニバーサル非同期受信／送信装置３８（ＵＡＲＴ、６８５０）を含んで構成される。もし、マイクロコンプロセッサチップが中央処理装置２２として使用されるのなら、ランダム・アクセス・メモリタイマーおよびユニバーサル非同期受信／送信装置の機能は第８図中に示されるように１個のチップに統合される。  
【００２４】
ＮＶＲＡＭ２７は慣用のＲＡＭについてのように読出されるが、もし電力が排除されてもそれは記憶したデータを保持する。この装置はまた、電気的に消去可能プログラマブル読取り専用メモリ（ＥＥＰＲＯＭ）および／またはバッテリー付きＲＡＭ（ＢＢＲＡＭ）であって、それ自体の搭載バッテリーおよび切り替え回路を含むものとして知られている。特別な情報パターン、たとえば同定用署名はＮＶＲＡＭ２７中にロードされる。これは製造時、またはデータ収集コンピュータ１６を介して遠隔的に行うことが出来る。次いで、この情報をネットワーク内の複写機を遠隔的に同定するために、たとえば中核データ収集地点４に復帰させるデータに添付するヘッダとして使用することが出来る。  
【００２５】
このことが多数の複写機に関係する複写機をして、そのデータベース記録に対する特定の複写機に関連する問題を少なくせしめるものである。たとえば、もし複写機がネットワーク内の一つの場所から他の場所に移動されたとすれば、署名のアイデンティフィケーションはそれと共に移動することになる。その結果、たとえその複写機が今はネットワーク内の異なった場所にあったとしてもデータ収集コンピュータ１６のデータベースマネージャーによって、依然としてその複写機は認識可能である。同定用署名に関するより少ない明かな利点は、盗難にあい、そのシリアルラベルの全てが剥され、そして転売された複写機を同定する能力にある。この構成要素は外観上恒久的な内部構成要素であるという理由で、それが複写機の内部に元の侭残り、そして同定の手段を提供するという確率は高い。  
【００２６】
構成選択スイッチ３０の設定がトランスレータ６をして、スイッチの設定に基づく異なった機能特性を取ることを可能とせしめる。スイッチ３０の出力はディジタル口３２を介してＣＰＵ２２によって読取られる。この装置は３個の８−ビット並列口から構成され、これらはＣＰＵ２２にディジタル口３２からのディジタルレベル信号における読取りをさせるものとして構成される。スイッチ３０の状態はＣＰＵ２２によって電力供給時に読取られて、トランスレータ６の或る作動特性を設定する。  
【００２７】
これの若干の例は特定の複写機に関する異なったデータ入力ラインの組合わせに対しＲＯＭ２６内に記憶されたエラーコードをマップすることになるというものである。ディジタル口３２の他の入力内へのスイッチ設定は同様な複写機に関してトランスレータ６の他の作動パラメータを構成する。補整される可能性のある複写機間の微小な差異には、１台以上の特定複写機に独特であるエラーメッセージまたはメッセージ長に関してＲＡＭ２８内に割り当てられた記憶空間のサイズが包含されるかも知れない。  
【００２８】
ＣＰＵ２２はディジタル口３２から状態データを受ける。しかしながら、データタップ８からディジタル口３２にやって来るデータは多重化データであり、そしてディジタル口３２にとってその情報は適切な信号レベルには無い可能性、あるいは望ましくない信号ノイズを含んでいる可能性があり、従ってアナログ・ディジタルインターフェース３４を介してディジタルレベルに調節せねばならない。このインターフェース３４は電圧コンパレータ４０、たとえばＬＭ３３９または同様な構成要素から構成され、これは二つの入力、すなわち複写機２からの調節すべき信号および閾値基準電圧（ＶＲＥＦ）［第７図参照］である。  
【００２９】
コンパレータ４０の出力、すなわち論理”０”状態に関する０Ｖまたは論理”１”状態に関する＋５Ｖは、複写機２およびＶＲＥＦからの電圧入力についての差分（differential）関係を反映することになる。すなわち、もし入力がその基準よりも大きければ、その出力は０Ｖととなり、また逆の場合も同じである。  
【００３０】
入力信号はディジタル口３２に関して修正信号レベルに調節されているので、その信号はディジタル口３２のラインを経由してＣＰＵ２２によって読取ることが可能である。次いで、この情報は構成スイッチ３０からの特性に基づく後の評価のためにＲＡＭ２８に伝えられる。  
【００３１】
複写機の状況情報はマイクロプロセッサをベースとするシステムの計算速度と比較して相対的に緩慢に変化する。従って、トランスレータ６は複写機２の状態を周期的に評価することのみが必要とされる。この周期的目標捕捉技法を遂行するために、「割込み駆動（interrupt driven）」として知られる方法が用いられる。  
【００３２】
通常、ＣＰＵ２２がアイドルループを待機するそのプログラムを実施しつつある。ＣＰＵ２２の割込み要求（ＩＲＱ）入力への信号であって、ＣＰＵ２２にアルゴリズムを実行させて８行ｘ８列のマトリックスから提供されるデータを入力かつ記憶させるものは、或る間隔において信号を生成する第７図に示されるようなバックグラウンドタイマー３６あるいは第８図に示されるようなワイヤー２５によって生じせしめ得るものであるが、このワイヤーはアナログ・ディジタルインターフェース３４のマトリックスについてのＲＯＷ１を表示する出力口をＣＰＵ２２のＩＲＱであって、データが存在するときにＣＰＵ２２をトリガーするものに接続する。ＣＰＵ２２が始動された後、行ＬＥＤは可能となり、そして列ＬＥＤは安定となり、データは記憶され、そしてデータの次の行が表示される。その後、ＣＰＵ２２は更に情報を評価してどんな状況コンディションが存在するかを決定する。  
【００３３】
バックグラウンドタイマー３６がＩＲＱ入力をパルスするか、あるいはアナログ・ディジタルインターフェース３４のマトリックスのＲＯＷ１を表す出力口がハイ（high）になった（全ての信号基準は図６Ａ及び図６Ｂのマルチプレクサ・タイム線図からのものである）後、この種のスキャンに関するアルゴリズムは概念的に以下のように考えられる：  １．ＣＰＵ２２はＲＯＷ１にマップされたディジタル口入力をポールし、そしてそれがＴ１において断定されるのを待機する。  
【００３４】
２．その時点で、Ｃ０−Ｃ７に関するデータが妥当であることが知られ、そしてそれらはＲＡＭ２８内の知られた位置に記憶される。  
【００３５】
３．ＣＰＵ２２はＴ２乃至Ｔ８においてＲＯＷ２乃至ＲＯＷ８が断定されることに関してポーリングされる代わりに、今や工程１および２を反復する。  
【００３６】
４．一度全ての情報が断定されると、記憶されたイメージは移転され、そしてＲＯＭ２６内に記憶されている試験テーブルと対照して比較される。試験の成果は後の利用のためにＲＡＭ２８中に記憶される。  
【００３７】
５．次いで、ＣＰＵ２２は次のタイマー割込みに関してその待機ループに復帰する。  
【００３８】
ＣＰＵ２２はＵＡＲＴ３８から割込み要求信号を受けることも出来る。このＵＡＲＴ３８はＣＰＵ２２をスキャナ／マルチプレクサ１４と通信させることが出来る。ＵＡＲＴ３８は順次データであって、スキャナ１４から８−ビットバイトのＣＰＵ２２が処理し得るものへと伝達されるデータを変換するタスクを行う。  
【００３９】
それはまた、ＣＰＵ２２からの８−ビットバイトのデータを、ライン５２に沿ってスキャナ１４に送り返されるべき順次流れに変換する。更に、送信（ＴＸ）および受信（ＲＸ）信号ラインは、長距離に及ぶデータの伝送に関する標準ＲＳ−４２２ラインドライバー／レシーバー５０であって、外部ノイズ源からの高い免疫性を有するものへ、そしてまたそれから転用される。様々な通信メディア、たとえばファィバーオプティックス、電話線等もまた可能である。  
【００４０】
中核データ収集地点４からのサービス要求指令がトランスレータ６によって受信されると、ＣＰＵ２２はアルゴリズムを実行して、ＲＡＭ２８内の一番最近の状態評価を回復させる。このリポートは一番最近の評価の意味を表すコード化したトークン（token ）程度に簡単なものとすることが出来る。次いで、このトークンはスキャナ１４またはユーザーのコンピュータ１６によって状況テキスト・ストリング（status text string）に復号される。あるいは伝送されたデータを、それが複写機制御パネル１２上に示されたとき状況メッセージのリテラルテキスト・ストリング（literal text string ）とすることも出来る。  
【００４１】
大きなモニタリングネットワークにおいて、単一ＣＰＵベースのトランスレータ６はオーバーロードとなり、システムの性能を劣化させる可能性がある。これを補整するために、データタップ８およびトランスレータ６の機能を二つの別個のマイクロコンピュータシステム、すなわち「アクティブ」データタップ３およびバッファーノードコンピュータ５であって、第９図に示すファィバーオプティックケーブルによって連絡されるものにおいて具現させる。
【００４２】
「アクティブ」または「スマート（smart ）」データタップ３は複写機２内に設けられる。それは複写機２に対し物理的インターフェースを提供し、かつそれ自体のマイクロプロセッサを備えていて制御パネル情報をデマルチプレックスする。バッファーノードコンピュータ５は複写機２の外部に配置され、そしてスマートデータタップ３と中核データ収集地点４との間の通信の責任を負っている。この区分はスマートデータタップ３をして、捕捉された多重化データをモニターすることに対しその供給源の殆ど全てを専用とするのに対し、バッファーノードコンピュータ５は中核データ収集地点４からのポール要求を引き受け得るものである。バッファーノードコンピュータ５からポールが受信された場合のみ、スマートデータタップ３はそのデータモニタリング・オペレーションを中止し、そして中核データ収集地点４への復帰のためにそのデータをバッファーノードコンピュータ５に対しアップロードする。スマートデータタップ３はバッファーノードコンピュータ５と共に単一ＣＰＵトランスレータ８と同一の方法において同一の機能を発揮するものである。
【００４３】
第１１図に示すスマートデータタップ３は標準の常備構成要素ならびに基礎的設計技法を利用するマイクロプロセッサベースのものである。その構成要素は単一ＣＰＵベーストランスレータのデザイン中で先に説明したものと同様である。  
【００４４】
スマートデータタップ３は中央処理装置（ＣＰＵ）２９を含んで構成され、これはランダム・アクセス・メモリ（ＲＡＭ）、ユニバーサル非同期受信／送信器（ＵＡＲＴ）およびタイマーをＣＰＵ２９に組み込むか、あるいは別個のコンポーネント（図示せず）として備えていればよく、更にプログラマブル・アドレス復号器２４（７４ＬＳ１３８）、読取り専用メモリ２６（ＲＯＭ、２７Ｃ２５６）、不揮発性ランダム・アクセス・メモリ２７（ＭＣＭ２８１４）、ディジタル口（７４ＬＳ５７３）、アナログ・ディジタル電圧イコライザー３４（４５０４）ならびにファィバーオプティック受信および送信器コネクタ１１および１３（それぞれ、ＨＦＢＲ−１５１０およびＨＦＢＲ−２５０１）を有していてよい。  
【００４５】
スマートデータタップ３は第１０Ａ図および第１０Ｃ図に示すように複写機制御コンピュータボード１０上に直接据え付けられる。制御パネルデータケーブル１８は第１０Ｂ図に示される複写機制御コンピュータボード１０の、そのオリジナル位置のピンヘッダ１９から取り除かれる。その場所に嵌合ヘッダ１５であって、プリント回路板アセンブリーの部分であるものによってスマートデータタップ３が挿入される。第１０Ｄ図に示すスマートタップマイクロコンピュータの残部は表面取付け装置（ＳＭＤ）２１としてパッケージされた実際の計算エレメント、フロントパネルコネクタ１９およびファィバーオプティック送信器１１および受信機１３の一対から構成される。  
【００４６】
第１２図に示されるようなバッファーノードコンピュータ５はまた、標準の常備構成要素を使用するマイクロプロセッサベースのものである。それは中央処理装置３１を含んで構成され、また再びランダム・アクセス・メモリ（ＲＡＭ）、ユニバーサル非同期受信／送信器（ＵＡＲＴ）およびタイマーをチップに統合するか、あるいは別個のコンポーネント（図示せず）として備えていればよい。更に、バッファーノードコンピュータ５に含まれているものはプログラマブル・アドレス復号器３７（７４ＬＳ１３８）、読取り専用メモリ３９（ＲＯＭ、２７Ｃ２５６）、ユニバーサル非同期受信／送信器３３（ＵＡＲＴ、８２５０）、ファィバーオプティック送信および受信機コネクタ１１および１３（ＨＦＢＲ−１５１０、ＨＦＢＲ−２５０１）ならびにＲＳ−４２２ラインドライバー／レシーバー５０（３４８７、３４８６）である。  
【００４７】
スマートデータタップ３およびバッファーノードコンピュータ５の機能性は前記単一ＣＰＵベーストランスレータにおいて先に説明したのと基本的に同一である。スマートデータタップＣＰＵ２９はＲＯＭ２６内に記憶された指令を連続的に実行して、複写機制御情報をデマルチプレックスする。次いで、この情報は、バッファーノードコンピュータ５からポールを受信するまでＲＡＭ内に記憶される。バッファーノードコンピュータ５は中核データ地点４からのサービス要求に関するアイドル待機状態にある。バッファーノードコンピュータ５が中核データ地点４からのポールを受けると、ＣＰＵ３１はアルゴリズムを実行してスマートデータタップ３からの複写機状況データを復旧する。  
【００４８】
スマートデータタップＣＰＵ２９がその受入口にポールを受けると、アルゴリズムが実施されてＲＡＭからの複写機状況データを復旧する。ＣＰＵ２９内に配置されたＵＡＲＴは８−ビットバイトをファィバーオプティックケーブル２１を介して伝送されるべき順次データに変換する。データがバッファーノードコンピュータ５に到達すると、その情報はＵＡＲＴ３３によって再び８−ビットバイトに戻るよう変換される。データがバッファーノードコンピュータＣＰＵ３１に移される準備が整うと、ＵＡＲＴ３３はライン３５に沿って割込み要求信号をＣＰＵ３１に送りアルゴリズムを始動させてデータを復旧させ、そのデータを順次フォーマットに変換し、次いでこのデータをＲＳ−４２２ラインドライバー／レシーバー５０を経由してスキャナ１４に伝える。  
【００４９】
制御パネルオペレータキーは、図１９Ａ〜図１９Ｅに示す技法であって、図６Ａ及び図６Ｂに示すようなスタティックディスプレイにおいて用いたのと同様なものを利用して屡々多重化される。トランスレータ６に関して、オペレータキーはどれかのキーを押すことで現在の状況を示す状況入力手段として、あるいはシステムユーザーが制御パネル上のキーを離れて「打つ」ことが出来る出力手段として双方の機能を果たすことが出来る。
【００５０】
その方法は図１９Ａ〜図１９Ｅ中に示されている。キーボードＳ１−Ｓ３２は４ｘ８マトリックスとして構成され示されている。信号ＲＯＷ１* −ＲＯＷ４* によりストローブされた（strobed）ものとしての行は復帰センス列ＣＯＬ０−ＣＯＬ７と共に抵抗Ｒ１−Ｒ８によってそれぞれ論理的１に引き寄せられる。ＣＯＬ  ＲＥＡＤ  ＥＮ* 信号が断定されると、得られた列データは複写機制御によって読取られ、列スキャン信号の各発生に関してバッファーＵ１を介してＤ０−Ｄ７を得る。この作動の一例は第２０図の多重化タイミング線図内に見出だされる。オペレータがキー、たとえばＳ１０（複写機スタート）を或る時点Ｔ１で押し、そしてスキャンサイクルの間に時点Ｔ３においてキーボードマトリックスＲＯＷ２* が断定されると、ＣＯＬ２センスラインは論理０に進められることになる。これは、バッファーＵ１が読取られたときのデータビットＤ１に対応する。
【００５１】
キーボード・スキャニング・オペレーションはトランスレータ６が４個の８−ビットラッチのセットを捕捉するためには余りにも短い可能性がある故で、各マトリックス行に対応するＵ６−Ｕ９が自動的に列センス信号を捕捉するために提供される。各行はＲＯＷ１* −ＲＯＷ４* によってストローブされるので、センス列データはそれぞれのラッチ内に刻時される。この方法において、トランスレータＣＰＵ２２は実際の複写機スキャニング操作に対し非同期的に信号ＲＤ  ＲＯＷ１  ＤＡＴＡ* −ＲＤ  ＲＯＷ４  ＤＡＴＡ* を断定することによってスイッチマトリックスの現在のイメージを得る。次いで、このイメージはＭＡＣコンピュータ１６に対し伝送される前に複写機の特定情報に関して評価される。第２０図のタイミング線図において、トランスレータ６はＴ４およびＴ５間のラッチＵ８からＳＦＦ（１６進数）を読取ってスイッチＳ１７−Ｓ２４のイメージを得る。このイメージは行３内の何れのキーも現在押されていないことを示している。  
【００５２】
キーボード状況の読取りに加えて、トランスレータ６は、恰もオペレータが正にキーを押したかのように制御パネルキーを遠隔的に現す能力を備えたシステムを提供する。各マトリックス行に対応する４個の８−ビットラッチＵ２−Ｕ５の一組は列センスラインＣＯＬ０−ＣＯＬ７を横切って共に並列に接続される。リモートキーアクセスが望ましいときには、ＭＡＣコンピュータ１６が特定のキーに関連するコードを通信ライン５２を介して所望のトランスレータ６に伝送する。トランスレータ６は指令を復号し、そして必要なデータパターンを選択したラッチに書込む。行選択ラインが「プログラムしたラッチ」に対応することを断定すると、ラッチの出力ドライバーは使用可能となる。これが列センスラインをラッチ内に書込まれたパターンに対応する論理レベルに伝動する。次に、このデータは複写機制御コンピュータによって列センスバッファーＵ１を介して読み戻される。  
【００５３】
キーボードタイミング線図第２０図において、一例がスイッチＳ１０の断定に関して示されている。トランスレータＣＰＵ２２はＳＦＤをラッチＵ３中に書込む。ＲＯＷ２* が断定されると、ＣＯＬ１は論理０に駆動されることになり、これはスイッチＳ１０が押されたことに相当する。Ｕ１が読取られたときＤ１上で複写機制御コンピュータが受けるであろうイメージは、恰もＳ１０がオペレータによって押されたかのように出現する。所定時間の後、ラッチＵ２−Ｕ５はクリアされて模擬キーストロークは排除される。  
【００５４】
好ましい実施態様において、キーボード状況モニタリングおよび駆動制御回路はスマートタップ論理の部分である。これは、回路がデザインにおいて特定の複写機でなければならないので、必要なことである。スマートタップ３はバッファーノードコンピュータ５を経由してＭＡＣコンピュータ１６から指令を受けることになり、そして同様な方法で状況情報を復帰させることになる。  
【００５５】
その通信機能の他にバッファーノードコンピュータ５に対し付加することが出来る他の特徴は１台以上のネットワーク複写機２を遠隔的にパワーダウンして正式に認められていない使用を阻止する能力である。これは第１３図中に示すように壁のアウトレットから直接とする代わりに、バッファーノードコンピュータ５を経由する複写機２の受けるパワーを複写機２と壁アウトレットとの間に直列に配置することによって遂行される。バッファーノードコンピュータ５は、パワーライン６３を複写機またはオーディトロン（auditron）にすら切り替えて正式に認められていない使用を阻止しながらパワーをパワーコード６１から直接受けることになる。  
【００５６】
第１４図中に示される有り得るスイッチング技法は、ＣＰＵ３１のディジタル口から制御ライン６５を使用してソリッドステートリレー６７（光学的に隔離されたトライアック、たとえばCydromＤ１Ｄ４１）の入力を伝送することである。所望により、プリセット時間にデータ収集コンピュータ１６によって複写機使用可能／使用不能コードが発せられて複写機２を運転停止とする。パワーは同じ方法で翌朝機械２に対し復活させることが出来る。  
【００５７】
ダイナミック・ディスプレイシステムに関して、一般に制御およびテキスト情報を制御パネル１２に送るために利用される２種類のタイプのデータ伝送方法がある。これらのタイプは「直列」および「並列」として分類される。  
【００５８】
第１５図中に示される直列伝送によって、情報は複写機制御コンピュータ１０からディスプレイエレメント１２ａに対し特定のデータ速度（ビット伝送速度）でビット・バイ・ビットの流れにおいて送られる。各８−ビットバイトはスタートビット、すなわちＳ１により先行され、そしてストップビット、すなわちＳ２により終結されて受信装置を同期させ、かつ到来データを受信させる。  
【００５９】
第１６図中に示される並列伝送システムにおいて、情報は複写機制御コンピュータ１０から受信ディスプレイエレメント１２ａに対し８−ビットとして同期的に送られる。各バイトはデータバス上に配置され、そしてストローブ（ＥＮＡＢＬＥ* ）を介して受信装置内に刻時される。  
【００６０】
何れの場合にも、受信ディスプレイエレメント１２ａは或る種の搭載インテリジェンス（専用機能マイクロコントローラ）を備えており、これは到来データを処理し、そしてそれをディスプレイ出力媒体にフォーマットするものである。このデータは制御コマンドまたはＡＳＣＩＩ（テキスト）文字の何れかであればよい。もし、それがコマンドであれば、制御パネル１２のディスプレイエレメント１２ａがどんなアクション（たとえば、ディスプレイを初期設定すること、特定のラインまたはアドレス等にカーソルを位置させること）を取るべきかを解釈する。もし、データがテキストであれば、文字の視覚的表示がディスプレイのカーソルの現在位置に現れることになる。  
【００６１】
第１７図に示されるダイナミック複写機のトランスレータ６に関する構成は基本的にはスタティック多重化データ複写機に関するものと同一である。ＣＰＵ２２、ＲＯＭ２６、ＲＡＭ２８、構成スイッチ３０およびＵＡＲＴ１  ３８の機能はその侭である。更に、バッファー４２、第二のユニバーサル非同期受信／送信器（ＵＡＲＴ２）３８ｂおよび先入れ先出し（ＦＩＦＯ）メモリ４４が存在する。しかしながら、そこにはバックグラウンドタイマーが無い。ダイナミック複写機に関して２構成要素バージョンのトランスレータもまた、利用可能である（図示せず）。バッファーノードコンピュータ５は同一のものとなる。アクティブデータタップに対する微小変更は異なった複写機を補整するために必要である。  
【００６２】
ダイナミックトランスレータ６はデータタップ８から直列または並列データの何れかを受けるケイパビリティを有している。再び、ＣＰＵ２２は構成選択スイッチ３０からこれを決定することが可能である。これらのスイッチ３０は、先に説明した多重化データに関するトランスレータ６に対するのと同様な原理においてトランスレータ６が作動するオペレーティングモードを選択するためにプログラムされる。たとえば、１個のスイッチを直列および並列オペレーティングモード間、すなわち１＝直列、そして０＝並列データオペレーション等で選択するために使用することが出来る。  
【００６３】
スイッチ３０はディジタル口３２の入力に接続される。パワーアップ時にＣＰＵ２２はディジタル口３２を読取ってオペレーティングモードを決定し、それの下で継続される筈である。  
【００６４】
もし、直列モードが選択されると、データタップ８からの到来直列データは先ずバッファー４２Ａを通過して信号をＵＡＲＴ２  ３８ｂについて適切であるレベルに調整する。トランスレータ６の初期化相の間に、ＵＡＲＴ２  ３８ｂはＣＰＵ２２により必要なパラメータをもって内部的に形成されて到来データを受ける。次いで、この直列データの流れはＣＰＵ２２によって用いられるために並列データに変換される。  
【００６５】
各バイトを組み立てた後、ＵＡＲＴ２  ３８ｂはＣＰＵ２２を遮断して、それに対しデータについて他のバイトを有することを通知する。ＣＰＵ２２はデータを読取った後、ＲＡＭ２８内に以後の評価のために記憶する。データの流れの末端は推論によって決定される、たとえば所定量の時間の後、付加的な文字が全く検出されないか、あるいは伝送文字の末端が見出だされるかによるものである。  
【００６６】
並列モードにおいて、データタップ８からの到来並列データは８−ビットのワイドバイト（第１６図のＤ０−Ｄ７）である。並列バスはまた、制御信号（REGISTER SELECT およびREAD/WRITE）および割込み可能信号であって、データおよび制御信号が妥当である場合に断定されるものを有している。このデータの全ては、割込み信号が断定されるまで、当初はバッファー４２Ｂを通過し、次いで自動的に先入れ先出し（ＦＩＦＯ）メモリ４４へ送られる。  
【００６７】
好ましい実施態様において、ＦＩＦＯメモリ４４は図１８Ａ〜図１８Ｄ中に示されるように構成される。この特定のメモリアレンジメントは９個のより小さい４ｘ１６ビットＦＩＦＯ（４０１０５装置を含んで構成される）複合体から、より幅広く、かつより深い１２ｘ４８ビットＦＩＦＯ４４を形成するように直列／並列に接続されて、生成される。これらの装置は複写機２から装置Ｕ１、Ｕ４およびＵ７のデータ入力（Ｄ０−Ｄ３）中に並列入力（Ｄ０−Ｄ３）を受ける。このデータは複写機２からのENABLE* クロックによってこの第一バンク内に刻時される。そこからデータはバケツリレー（bucket brigada）態様においてＦＩＦＯ４４（Ｕ３、Ｕ６およびＵ９）のバックにリップル（ripple）し、そしてディジタル口３２の入力に対し提示される。  
【００６８】
最初の１２−ビットの語がＦＩＦＯ４４のバックに伝播されるや否やDATA RDY信号が３−入力ＡＮＤゲート（Ｕ１１Ａ）によって送られ、そしてディジタル口３２に対し利用可能なものとされる。この方法において、ＣＰＵ２２はDATA RDYラインをポールしてＦＩＦＯ４４中に存在するあらゆるデータを試験することが可能である。信号が送られると、ＣＰＵ２２はディジタル口３２を読み取ってデータを抽出し、次いで、ディジタル口３２のＰＢ５をパルスしてＦＩＦＯ４４の次の語を伝播させる。ＣＰＵ２２はまた、FIFOCLR ラインを、たとえばＴ０においてパルスすることによって全ＦＩＦＯアレイのマスターリセットを行うことも可能である。  
【００６９】
ＦＩＦＯメモリタイミング線図中に明示したように、ENABLE（Ｔ１、Ｔ２、Ｔ３およびＴ４）によってそれが刻時されると、ＦＩＦＯ４４はデータによって充填され、そしてＣＰＵ２２によって刻時が解除されると、それはアンロードされる。Ｔ１およびＴ２間でＦＩＦＯメモリ４４はＣＰＵ２２とは独立にデータの４８語を取り入れることが可能であり、そして複写機２とは独立にＣＰＵ２２に対しデータを出力することが出来る。直列インターフェース法に関して、データはバッファリングおよび評価のためにＲＡＭ２８に対し伝送される。
【００７０】
ダイナミック複写機２によって伝えられたデータの流れは別個のディスプレイコマンドおよびＡＳＣＩＩテキスト文字から成っている。トランスレータ６はその制御文字をストリップし、そしてそのＡＳＣＩＩテキストの流れを評価およびフォーマットするために中央コンピュータ１６に送る。この種のデータ流を評価するために、数種類の他のアプローチがある。たとえば、データを中央コンピュータ１６に対し直接送り、変更を加えず、そして中央コンピュータ１６にそのデータを評価またはリフォーマットさせる。更に、キーワードを探すデータをパーシング（parsing ）し、そしてキーワードから問題が存在するという推論を行うことを達成し得るものである。それからデータを（トークンまたはテキスト流によって）評価またはリフォーマットのために中央コンピュータ１６に対し送ることが出来る。
【００７１】
トランスレータ６はスキャナ１４によってポールされて、最も新しい状況情報を得る。トランスレータの場所にはＲＳ４２２送信／受信機５０（３４８６）が存在しており、これらは中核位置４のスキャナ１４に配線されている。しかしながら、上に述べたように、トランスレータ６からスキャナ１４への状況情報の送信に関する通信手段はハード配線に限定されるものではない。  
【００７２】
スキャナ１４はデータ収集コンピュータ１６によって制御され、そしてそれに対してトランスレータ６がポールするためのデータ収集コンピュータ１６からのメッセージを受ける多重スイッチャとして作動する。次いで、スキャナ１４は適切なトランスレータ６に対し交差接続を行い、そして情報をデータ収集コンピュータ１６に渡す。  
【００７３】
スキャナ／マルチプレクサ１４は多数のこの種装置の何れか一つであってよく、そしてそれらは当該技術分野において周知である。一例は名称SMART6の下でL TEX ELECTRONICS により製造される６口のオートスイッチである。  
【００７４】
トランスレータ６のポーリングに関する可能性はスキャナ１４を備える各トランスレータ６のための別の通信ライン５２を包含し、各ユニットに対する要求を順次ラウンドロビン形式（第１図中に示す）において送り、あるいはトランスレータ６を共通線と共に連結または非連結リングにおいてデイジー−チェーンし、ここにおいてスキャナ１４は、ライン５２に対してポールされるユニットのトランスレータに識別子を付することになる。  
【００７５】
ネットワークの全般的な遠隔モニタリングはデータ収集コンピュータ１６によって制御される。このモニタリングは二つのモード、すなわち準リアルタイムまたはリアルタイムを備えている。準リアルタイムモニタリングは、データ収集コンピュータ１６が特定場所に対して優先権を与えることなく、各個別の複写機２をポーリングしつつある場合の作動についての正常なモードである。たとえば、１／秒の速度でポールされる２５台の複写機があるとすれば、全体のサンプリングベースは２５秒において更新される。従って、ネットワーク内の何れの所定の複写機の状況も過去２５秒以内の最新のものとなる。  
【００７６】
リアルタイムモニタリングは特殊な作動モードにおいて行われ、これはデータ収集コンピュータ１６をして特定の複写機２に対し焦点を合わせしめ、そしてその他の複写機２のみをバックグラウンドタスクとして、かつ著しく低い速度においてポールするものである。これがデータ収集コンピュータ１６にその特定複写機２の状況を、複写機２において事象が発生する時間とそれが報告される時間との間に何等の遅れをも有するとは思われないであろう速度において、サンプルさせるものである。  
【００７７】
データ収集コンピュータ１６はＩＢＭコンパチブルパソコンであればよく、これはモニター、キーボード、ＣＰＵ、フロッピー（登録商標）ドライブ、ハードディスクドライブおよびＤＯＳ３．３を実行する６４０Ｋのランダム・アクセス・メモリから構成されるものである。このデータ収集コンピュータ１６は状況情報を様々なディスプレイフォーマットに組み立てる。ユーザー特徴の或るものはメニュー選択ツリー（図２１Ａ、図２１Ｂ、図２２Ａ〜図２２Ｄ）においてディスプレイされる。これらの特徴は確立すべき製造業者、形式、オプション、場所、機能等によって複写機に対する情報のデータベースを使用可能とする。次いで、このデータベースは状況情報とマージされて、モニタリングネットワークに関する全複写機２の状況についての現在の表示を提示する。作動上の問題を伴う複写機２は容易に同定され、そしてサービスの要求が行われ、かつ同様な方法で追跡される。  
【００７８】
記憶された情報の全てもまた、多方面に亘る種類のリポート生成に関して利用可能である。それはまた、可能性または将来の機械の故障を予報するために使用することも出来る。或るタイプの障害における増大を検知し、そしてやがて起こる故障としてフラグすることが可能である。このタイプのウインドウ・ディテクションはＲＩＣシステムゼロックスが用いるところのものと類似である。しかしながら、前記システムは連続的オンライン、リアルタイムモニタリングシステムである。本システムはまた、差し迫っているあるいは現存する複写機の問題について自動的に送出しオフィスに警告することが出来る。  
【００７９】
データ収集コンピュータ１６がリアルタイムモードで作動しつつあれば、ユーザーは実際の複写機制御パネル１２の表示をデータ収集コンピュータ１６のＣＲＴスクリーン上に見ることが出来る。  
【００８０】
第２３図はゼロックス１０２５複写機に関するモニタリングモードについての実際のスクリーンダンプである。制御パネル情報のコピーを有することによって、この種のスクリーンはパネルが単純なインジケータ（スタティックパネル）あるいは原文のディスプレイ文字（ダイナミックパネル）を構成するか否かにより、実際上如何なる複写機に関しても作成および保持が可能となる。次いで、所定の複写機２のディスプレイ・レイアウトについてのマップに対するデータの処理問題となり、最終結果に達する。第２４図のスクリーンは１０種類の主要状況インジケータの現在状態ならびに複写機のセットアップパラメータ、コピーカウントおよび複写機故障の場合のエラーコードを示している。  
【００８１】
遠隔キーオペレータまたはサービス要員を置くことによって得られる効果はいずれの複写機２が特に重要であるかについて実際の表示を見得ることである。それは経験を有する者に最初に実際の機械状態を見ることを許容し、そしてまたそれらをもって離れた機械の場所におけるより経験の乏しい人員を指導せしむるものである。このリアルタイムモニタリング技法の付加的な利益は、完全に別の機関または街に居る人がモデム電話リンクを介して複写機２の実際の状況パネルを見て問題に対する可能性ある解決を示唆出来ることである。もし、複写機の障害が発生すると、複写機の障害コードが制御パネル１２上に表示される。ソフトウェアを経てこの障害コードはデータ収集コンピュータ１６によりオンラインヘルプ施設中に変換されて、キーオペレータが第２４図に示すような非技術的（non-technical）障害を修正するのを助けることが出来る。
【実施例】
【００８２】
複写機コントローラコンピュータ１０から制御パネル１２へ送られるエラー状況はＹ−タップ１７を含んで構成される受動データタップ８によって途中捕捉される。このデータはデータトランスレータケーブル２０によりトランスレータ６に伝送される。トランスレータ６はモジュラージャックを備えており、これはトランスレータデータケーブル２０上の協働ジャックを受ける。  
【００８３】
トランスレータ６は情報に関してポールされ、次いで読取り可能なデータをマルチプレクサ／スキャナ１４により伝送し、かつ或る種のデータを記憶する。次いで、トランスレータ６はラインドライバー／レシーバー５０（ＲＳ４２２）を用いることによりライン５２に沿って中核位置におけるスキャナ／マルチプレクサ１４にデータを伝送する。同様にライン５２は各端部にモジュラージャックを備えており、これはトランスレータおよびスキャナ／マルチプレクサ１４両者のジャックと協働する。  
【００８４】
スキャナ／マルチプレクサ１４はＤＯＳ３．３の下でデータ収集コンピュータ１６内のプログラムにより制御される。そのようなものとして、スキャナ／マルチプレクサ１４はデータ収集コンピュータ１６中に統合される。  
【００８５】
ＣＲＴ、キーボードおよびＣＰＵを含むパソコンから構成される、その他の情報を抽出するためのユーザーインターフェースはそのユーザーにその場所およびエラーの状況を変更させるために使用される。  
【００８６】
本発明の変更はそれらを当業者に対し明らかにせしめるものであり、そして添付の請求の範囲によってのみ限定される発明の精神および範囲内に収めることを意図するものである。
【図面の簡単な説明】
【００８７】
同様な参照符号が同様な部分を示す以下の図面は本発明の実施態様の例示であり、その一部を形成する請求範囲によって包含されものとして如何なる態様においても本発明の範囲の限定を意図するものではない。    
【図１】本発明のシステムについての概略ブロック線図である。
【図２】スタティック複写機インターフェースおよび本システムに関して使用する複写機制御データケーブルに対する受動的データタップについての概略ブロック線図である。
【図３】ダイナミック複写機インターフェースおよび本システムに関して使用する複写機制御データケーブルに対する受動的データタップについての概略ブロック線図である。
【図４】スタティック複写機インターフェースおよび複写機制御コンピュータ上に配置された受動的データタップについての概略ブロック線図である。
【図５Ａ】制御パネルデータケーブルの接続部を含む複写機の制御コンピュータボードについての概略頂部平面図である。
【図５Ｂ】元の制御パネルデータケーブル接続部についての側部平面図である。
【図５Ｃ】本発明に関して使用するための受動的データタップを含む制御パネルデータケーブル接続部についての側部平面図である。
【図５Ｄ】トランスレータデータケーブルと制御パネルデータケーブルとの並列結線に使用するためのＹ−タップヘッダについての側部平面図である。
【図５Ｅ】トランスレータデータケーブルと制御パネルデータケーブルとの並列結線に使用するためのＹ−タップヘッダについての前部平面図である。
【図６Ａ】多重化インジケータおよび本システムに関して使用するためのデータタップの式型についての概略線図である。
【図６Ｂ】多重化インジケータおよび本システムに関して使用するためのデータタップの式型についての概略線図である。
【図７】本発明に関して使用するための多重化データバージョントランスレータについての概略ブロック線図である。
【図８】中央処理装置に統合されたランダム・アクセス・メモリー、タイマーおよび汎用非同期受信／送信装置と共に多重化データバージョントランスレータについての概略ブロック線図である。
【図９】アクティブデータタップおよびバッファーノードコンピュータを備えたスタティック複写機についての概略ブロック線図である。
【図１０Ａ】アクティブデータタップとの複写機制御パネルデータケーブル接続部を含む複写機制御コンピュータボードについての概略頂部平面図である。
【図１０Ｂ】元の制御パネルデータケーブル接続部についての側部平面図である。
【図１０Ｃ】本発明に関して使用するためのアクティブデータタップを含む制御パネルデータケーブル接続部についての側部平面図である。
【図１０Ｄ】本発明に関して使用するためのアクティブデータタップを含む制御パネルデータケーブル接続部についての頂部平面図である。
【図１１】トランスレータの多重化データバージョンのアクティブデータタップ構成要素についての概略ブロック線図である。
【図１２】トランスレータのバッファーノードコンピュータ構成要素についての概略ブロック線図である。
【図１３】バッファーノードコンピュータを経由する複写機受信パワーについての概略ブロック線図である。
【図１４】複写機パワー切り替えケイパビリティに関するバッファーノードコンピュータについての概略ブロック線図である。
【図１５】複写機制御コンピュータから制御パネルディスプレイへの直列データ伝送技法についての概略ブロック線図である。
【図１６】複写機制御コンピュータから制御パネルディスプレイへの並列データ伝送技法についての概略ブロック線図である。
【図１７】本発明に関して使用するための直列／並列データバージョントランスレータについての概略ブロック線図である。
【図１８Ａ】並列インターフェーストランスレータ用の１２ｘ４８ＦＩＦＯメモリーについての概略線図である。
【図１８Ｂ】並列インターフェーストランスレータ用の１２ｘ４８ＦＩＦＯメモリーについての概略線図である。
【図１８Ｃ】並列インターフェーストランスレータ用の１２ｘ４８ＦＩＦＯメモリーについての概略線図である。
【図１８Ｄ】並列インターフェーストランスレータ用の１２ｘ４８ＦＩＦＯメモリーについての概略線図である。
【図１９Ａ】遠隔キーストロークモニタリングおよび遠隔キーストロークオペレーション・ケーパビリティを備えた複写機多重化キーボードについての概略線図である。
【図１９Ｂ】遠隔キーストロークモニタリングおよび遠隔キーストロークオペレーション・ケーパビリティを備えた複写機多重化キーボードについての概略線図である。
【図１９Ｃ】遠隔キーストロークモニタリングおよび遠隔キーストロークオペレーション・ケーパビリティを備えた複写機多重化キーボードについての概略線図である。
【図１９Ｄ】遠隔キーストロークモニタリングおよび遠隔キーストロークオペレーション・ケーパビリティを備えた複写機多重化キーボードについての概略線図である。
【図１９Ｅ】遠隔キーストロークモニタリングおよび遠隔キーストロークオペレーション・ケーパビリティを備えた複写機多重化キーボードについての概略線図である。
【図２０】多重化キーボードタイミング線図である。
【図２１Ａ】中央コンピュータに関して使用するための概観メニュー選択チャートである。
【図２１Ｂ】中央コンピュータに関して使用するための概観メニュー選択チャートである。
【図２２Ａ】ＣＯＰＩＥＲメニュー選択から入手可能な情報についての拡大図である。
【図２２Ｂ】ＳＥＲＶＩＣＥメニュー選択から入手可能な情報についての拡大図である。
【図２２Ｃ】ＡＤＭＩＮメニュー選択から入手可能な情報についての拡大図である。
【図２２Ｄ】ＳＹＳＴＥＭメニュー選択から入手可能な情報についての拡大図である。
【図２３】ゼロックス１０２５複写機用のリアルタイム・モニタリングモードについてのスクリーン書出しである。
【図２４】障害コード用のオンライン・ヘルプ機構についてのスクリーン書出しである。
【図１】
2006340393.tif 000003
【図２】
2006340393.tif 000004
【図３】
2006340393.tif 000005
【図４】
2006340393.tif 000006
【図５Ａ】
2006340393.tif 000007
【図５Ｂ】
2006340393.tif 000008
【図５Ｃ】
2006340393.tif 000009
【図５Ｄ】
2006340393.tif 000010
【図５Ｅ】
2006340393.tif 000011
【図６Ａ】
2006340393.tif 000012
【図６Ｂ】
2006340393.tif 000013
【図７】
2006340393.tif 000014
【図８】
2006340393.tif 000015
【図９】
2006340393.tif 000016
【図１０Ａ】
2006340393.tif 000017
【図１０Ｂ】
2006340393.tif 000018
【図１０Ｃ】
2006340393.tif 000019
【図１０Ｄ】
2006340393.tif 000020
【図１１】
2006340393.tif 000021
【図１２】
2006340393.tif 000022
【図１３】
2006340393.tif 000023
【図１４】
2006340393.tif 000024
【図１５】
2006340393.tif 000025
【図１６】
2006340393.tif 000026
【図１７】
2006340393.tif 000027
【図１８Ａ】
2006340393.tif 000028
【図１８Ｂ】
2006340393.tif 000029
【図１８Ｃ】
2006340393.tif 000030
【図１８Ｄ】
2006340393.tif 000031
【図１９Ａ】
2006340393.tif 000032
【図１９Ｂ】
2006340393.tif 000033
【図１９Ｃ】
2006340393.tif 000034
【図１９Ｄ】
2006340393.tif 000035
【図１９Ｅ】
2006340393.tif 000036
【図２０】
2006340393.tif 000037
【図２１Ａ】
2006340393.tif 000038
【図２１Ｂ】
2006340393.tif 000039
【図２２Ａ】
2006340393.tif 000040
【図２２Ｂ】
2006340393.tif 000041
【図２２Ｃ】
2006340393.tif 000042
【図２２Ｄ】
2006340393.tif 000043
【図２３】
2006340393.tif 000044
【図２４】
2006340393.tif 000045
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
離れた場所からパソコンによりモニターすることが可能な複写機であって、前記複写機の動作を制御する制御コンピュータ及び前記制御コンピュータからのデータを受信するように構成されている制御パネルを有する複写機と、
前記パソコンと複数の装置とを接続することを可能とし、前記パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続することが可能であるユニバーサルインターフェースを提供する前記複写機に対応して設けられたチップと、
前記複写機に対応して設けられた、前記ネットワーク内において前記複写機を遠隔的に同定するための情報パターンを含むデータを保持し電力が排除されても前記情報パターンを含むデータを保持する記憶装置とから構成され、
前記チップが前記ネットワーク内において前記複写機を遠隔的に同定するために前記情報パターンを含むデータを前記パソコンに送信することにより、前記パソコン上で動作するデータベースマネージャーによって前記複写機を認識可能としたことを特徴とする複写機システム。
【請求項２】
離れた場所からパソコンによりモニターすることが可能な複写機であって、前記複写機の動作を制御する制御コンピュータ及び前記制御コンピュータからのデータを受信するように構成されている制御パネルを有する複写機と、
前記パソコンと複数の装置とを接続することを可能とし、前記パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続することが可能であるユニバーサルインターフェースを提供する前記複写機に対応して設けられたチップと、
前記複写機に対応して設けられた、前記ネットワーク内において前記複写機を遠隔的に同定するための情報パターンを含むデータを保持し電力が排除されても前記情報パターンを含むデータを保持する記憶装置とから構成され、
前記チップが前記ネットワーク内において前記複写機を遠隔的に同定するために前記情報パターンを含むデータを前記パソコンに送信することにより、前記パソコン上で動作するデータベースマネージャーによって前記複写機を認識可能とし、
前記制御コンピュータは、前記パソコンから複写機制御コマンドを受信し、前記パソコンから受信した状況情報の要求に応答して、前記チップを経由し前記パソコンへ前記複写機の状況情報を送信することを特徴とする複写機システム。
【請求項３】
前記チップは、マイクロプロセッサであることを特徴とする請求項１又は２に記載の複写機システム。
【請求項４】
前記マイクロプロセッサは、ランダム・アクセス・メモリに接続されていることを特徴とする請求項３に記載の複写機システム。
【請求項５】
前記マイクロプロセッサは、アドレスデコーダに接続されていることを特徴とする請求項３に記載の複写機システム。
【請求項６】
前記パソコンの画面上には、四角の枠内で、前記複写機の状態、前記複写機のエラーコード、コピーカウント又はセットアップパラメータを表示させることができるようにしたことを特徴とする請求項１乃至５のいずれか一に記載の複写機システム。
【請求項７】
前記制御パネルは、発光ダイオードを有することを特徴とする請求項１乃至６のいずれか一に記載の複写機システム。
【請求項８】
前記制御パネルは、液晶ディスプレイを有することを特徴とする請求項１乃至７のいずれか一に記載の複写機システム。
【請求項９】
前記制御パネルは、複数のキーを有することを特徴とする請求項１乃至８のいずれか一に記載の複写機システム。
【請求項１０】
エラー状況が前記制御コンピュータから前記制御パネルへ送信されることを特徴とする請求項２に記載の複写機システム。
【請求項１１】
前記チップは、前記パソコンから送信される順次流れデータを多ビット幅のデータに変換し，前記複写機から供給される多ビット幅のデータを順次流れデータに変換することを特徴とする請求項１又は２に記載の複写機システム。
【請求項１２】
それぞれに非同期かつ順次流れデータが伝送される一対の信号を有する複数の信号線を含むネットワークを更に有することを特徴とする請求項１又は２に記載の複写機システム。
【請求項１３】
前記複数の信号線は，前記一対の信号線を含む４本の信号線からなることを特徴とする請求項１２に記載の複写機システム。
【請求項１４】
前記一対の信号線は，ハード配線であることを特徴とする請求項１２に記載の複写機システム。
【請求項１５】
離れた場所からパソコンによりモニターすることが可能な複写機システムであって、
複写機と、
前記複写機に搭載され、前記複写機の状況を生成するように構成された制御コンピュータと、
前記パソコンに接続された双方向の通信線によって前記複写機システムを前記パソコンに接続するインターフェースであって、
マイクロプロセッサと、
電力が排除されても特別な情報を記憶し、保持する記憶装置と、
前記マイクロプロセッサからの第１の多ビット幅のデータを第１の順次流れデータに変換し、前記パソコンからの第２の順次流れデータを前記マイクロプロセッサが処理する第２の多ビット幅のデータに変換する回路と、
前記第１の順次流れデータを前記双方向の通信線を通して送信可能なドライバ回路と、
を有するインターフェースと、を有し、
前記特別な情報は、前記複写機を同定し、前記パソコン上で動作するデータベースマネージャーによって前記複写機を認識可能とし、
前記制御コンピュータは、前記パソコンから複写機制御コマンドを受信し、前記パソコンから受信した状況情報の要求に応答して、前記チップを経由し前記パソコンへ前記複写機の状況情報を送信することを特徴とする複写機システム。
【請求項１６】
前記マイクロプロセッサは、アドレスデコーダに接続されていることを特徴とする請求項１５に記載の複写機システム。
【請求項１７】
前記パソコンによってモニターされる前記複写機の状況は、前記複写機のセットアップパラメータを含み。前記セットアップパラメータに相当するデータは、前記データが前記パソコンの画面に表示可能なフォーマットで前記インターフェースを介して前記パソコンへ送信されることを特徴とする請求項１５に記載の複写機システム。
【請求項１８】
順次流れデータを双方向に送信する一対の信号線を有するネットワークを介して、前記複写機システムに接続されたパソコンにより離れた場所からモニターすることが可能な複写機と、
前記複写機に対応する記憶装置であって、前記複写機を同定し、前記パソコン上で動作するデータベースマネージャーによって前記複写機を認識可能とし、電力が排除されても特別な情報を記憶し、保持する記憶装置と、
前記ネットワークを通して前記特別な情報を前記パソコンに送信し、前記複写機で処理される多ビット幅のデータを前記一対の信号線に流れる順次流れデータに変換するユニバーサル非同期レシーバ・トランスミッタと、
を有する複写機システムであって、
前記複写機は、前記パソコンから複写機制御コマンドを受信し、前記パソコンから受信した状況情報の要求に応答して、前記チップを経由し前記パソコンへ前記複写機の状況情報を送信することを特徴とする複写機システム。
【請求項１９】
前記パソコンによってモニターされる前記複写機の状況は、前記複写機のセットアップパラメータを含み。前記セットアップパラメータに相当するデータは、前記データが前記パソコンの画面に表示可能なフォーマットで前記インターフェースを介して前記パソコンへ送信されることを特徴とする請求項１８に記載の複写機システム。
【請求項２０】
前記複写機システムは、更に、リアルタイムに複写機状況情報を前記パソコンに送信するように構成されていることを特徴とする請求項１８に記載の複写機システム。